(57)【要約】【課題】室内用間仕切りに囲われる空間に配置される天井の配置や構成に係る制約を少なくすることのできる室内間仕切り用天井構造、及び当該天井構造を備える室内用間仕切りを提供する。【解決手段】室内間仕切り用天井構造は、４本の支柱を連結する角部材３０が２本の支柱をそれぞれ９０度の角度で連結することで４本の支柱を矩形枠状に連結させる。室内用間仕切りは、少なくとも２つの枠体２０を所定の間隔を空けて対向配置させている。室内間仕切り用天井構造は、対向配置された２つの枠体２０の上部支柱２０ａを連結する天井部材２１０を有し、天井部材２１０は、２つの枠体２０のそれぞれから上方に延びる第１部材２０ｅと、２つの第１部材２０ｅを接続する第２部材２０ｆとを備え、第１部材２０ｅと第２部材２０ｆとはそれぞれ上部支柱２０ａと同様の開口端を有し、第１部材２０ｅと第２部材２０ｆとが角部材３０で９０度の角度で連結される。【選択図】図４
2020007702.tif 000002
【特許請求の範囲】
【請求項１】
複数の枠体で室内空間を間仕切る室内用間仕切りの上部に設けられている室内間仕切り用天井構造であって、
前記枠体は、４本の支柱が角部材で連結されてなり、
前記角部材は、前記支柱の開口端に圧接される圧接面を２面有し、それら２面の圧接面の相対角度を２７０度とすることで２本の前記支柱をそれぞれ９０度の角度で連結することで４本の前記支柱を矩形枠状に連結させており、
前記室内用間仕切りは、少なくとも２つの前記枠体を所定の間隔を空けて対向配置させているものであって、
前記室内間仕切り用天井構造は、
前記対向配置された前記枠体のうちの２つの前記枠体の上部を連結する天井部材を有し、
前記天井部材は、前記２つの前記枠体のそれぞれから上方に延びる第１部材と、２つの前記枠体のそれぞれの前記第１部材を接続する第２部材とを備え、前記第１部材と前記第２部材とはそれぞれ前記支柱と同様の開口端を有し、前記第１部材と前記第２部材とが前記角部材で９０度の角度で連結されている
室内間仕切り用天井構造。
【請求項２】
複数の前記天井部材を備え、
複数の前記第２部材は、水平、かつ、平行である
請求項１に記載の室内間仕切り用天井構造。
【請求項３】
前記第１部材と前記第２部材とはそれぞれ、前記支柱の開口端と同様の開口端を有していて、前記開口端に前記角部材の圧接面が圧接される
請求項１又は２に記載の室内間仕切り用天井構造。
【請求項４】
前記支柱は、長手方向に直交する断面が多角形状の多角管であり、前記多角管の外側面には、外周方向に突き出る壁状部をそれぞれ有する２つの突出部であって、前記壁状部は長手方向に平行であるとともに、前記壁状部の先端から反対側の前記壁状部に向かって突き出した張出部とを備える前記２つの突出部を有し、
前記第１部材は、前記２つの突出部の間に嵌め込み固定された室内間仕切り用金具を介して前記枠体に固定される
請求項１〜３のいずれか一項に記載の室内間仕切り用天井構造。
【請求項５】
前記室内間仕切り用金具は、前記２つの突出部の長手方向において任意の位置に嵌め込み固定が可能である
請求項４に記載の室内間仕切り用天井構造。
【請求項６】
前記対向配置された前記枠体のうちの２つの前記枠体はそれぞれ、複数の前記枠体が自立可能に連結された連結枠を構成している
請求項１〜５のいずれか一項に記載の室内間仕切り用天井構造。
【請求項７】
４本の支柱が角部材で連結されてなる複数の枠体を備える室内用間仕切りであって、
前記角部材は、前記支柱の開口端に圧接される圧接面を２面有し、それら２面の圧接面の相対角度を２７０度とすることで２本の前記支柱をそれぞれ９０度の角度で連結することで４本の前記支柱を矩形枠状に連結させており、
前記室内用間仕切りは、少なくとも２つの前記枠体を所定の間隔を空けて対向配置させているとともに、前記対向配置された前記枠体のうちの２つの前記枠体の上部を連結する天井部材を備え、
前記天井部材は、前記２つの前記枠体のそれぞれから上方に延びる第１部材と、２つの前記枠体のそれぞれの前記第１部材を接続する第２部材とを備え、前記第１部材と前記第２部材とはそれぞれ前記支柱と同様の開口端を有し、前記第１部材と前記第２部材とが前記角部材で９０度の角度で連結される
室内用間仕切り。
【発明の詳細な説明】
【技術分野】
【０００１】
本発明は、室内用間仕切に適用される室内間仕切り用天井構造、及び当該天井構造を備える室内用間仕切りに関する。
【背景技術】
【０００２】
従来、上述のような室内の空間を間仕切る室内用間仕切りとして、複数本の支柱の間に間仕切りパネルを連結して間仕切とする技術が知られている（例えば、特許文献１参照）。
【０００３】
特許文献１に記載の室内用間仕切りは、オフィスや展示場等の室内空間を、業務環境や業務形態等の変化に容易かつ柔軟に対応して仕切ったり区画したりすることができるとともに、空間内で使用する機器及びこの機器の配線を支柱や支柱に連結された連結杆に収容することが可能な空間構造体である。
【０００４】
空間構造体は、室内空間を仕切る構成部材であり床面から立設した支柱と、床面に水平方向に配置された連結杆から略構成されている。空間構造体は、支柱と連結杆、連結杆同士をそれぞれ連結する連結部材と、連結杆同士を上面視Ｌ字状に連結した部分に取り付けられるコーナー部材と、支柱で囲まれた空間やこの空間内を仕切ったり区画したりする間仕切りパネルとを有している。間仕切りパネルは、一端が連結杆に移動可能に取り付けられたパネルであってもよいし、一端が連結杆に固定されたパネルであってもよい。また、一部が固定または移動可能な間仕切りパネルであってもよく、間仕切りパネルは業務環境や業務形態等に応じて適宜変更が可能である。
【先行技術文献】
【特許文献】
【０００５】
【特許文献１】特開２０１７−８９２４２号公報
【発明の概要】
【発明が解決しようとする課題】
【０００６】
特許文献１に記載の技術は、パネルを移動可能な連結杆であるが故に、パネルの配置されない位置には連結杆が設けられない。このため、連結杆で天井を構成する構造となると天井の配置や構成に制約が生じやすいため、室内用間仕切りに囲われた空間に天井構造を配置する構成としては改善の余地がある。
【０００７】
本発明は、このような実情に鑑みてなされたものであり、その目的は、室内用間仕切りに囲われる空間に配置される天井の配置や構成に係る制約を少なくすることのできる室内間仕切り用天井構造、及び当該天井構造を備える室内用間仕切りを提供することにある。
【課題を解決するための手段】
【０００８】
上記課題を解決する室内間仕切り用天井構造は、複数の枠体で室内空間を間仕切る室内用間仕切りの上部に設けられている室内間仕切り用天井構造であって、前記枠体は、４本の支柱が角部材で連結されてなり、前記角部材は、前記支柱の開口端に圧接される圧接面を２面有し、それら２面の圧接面の相対角度を２７０度とすることで２本の前記支柱をそれぞれ９０度の角度で連結することで４本の前記支柱を矩形枠状に連結させており、前記室内用間仕切りは、少なくとも２つの前記枠体を所定の間隔を空けて対向配置させているものであって、前記室内間仕切り用天井構造は、前記対向配置された前記枠体のうちの２つの前記枠体の上部を連結する天井部材を有し、前記天井部材は、前記２つの前記枠体のそれぞれから上方に延びる第１部材と、２つの前記枠体のそれぞれの前記第１部材を接続する第２部材とを備え、前記第１部材と前記第２部材とはそれぞれ前記支柱と同様の開口端を有し、前記第１部材と前記第２部材とが前記角部材で９０度の角度で連結されている。
【０００９】
上記課題を解決する室内用間仕切りは、４本の支柱が角部材で連結されてなる複数の枠体を備える室内用間仕切りであって、前記角部材は、前記支柱の開口端に圧接される圧接面を２面有し、それら２面の圧接面の相対角度を２７０度とすることで２本の前記支柱をそれぞれ９０度の角度で連結することで４本の前記支柱を矩形枠状に連結させており、前記室内用間仕切りは、少なくとも２つの前記枠体を所定の間隔を空けて対向配置させているとともに、前記対向配置された前記枠体のうちの２つの前記枠体の上部を連結する天井部材を備え、前記天井部材は、前記２つの前記枠体のそれぞれから上方に延びる第１部材と、２つの前記枠体のそれぞれの前記第１部材を接続する第２部材とを備え、前記第１部材と前記第２部材とはそれぞれ前記支柱と同様の開口端を有し、前記第１部材と前記第２部材とが前記角部材で９０度の角度で連結される。
【００１０】
このような構成によれば、天井部材に必要とされる高さを確保する２つの第１部材と角部材を介してそれら２つの第１部材に連結される第２部材とで構成される天井部材によって、室内用間仕切りに囲われる上方空間を間仕切ることができるようになる。つまり、第１部材と第２部材とが枠体を構成する角部材で接続される態様で、天井部材が容易に設けられる。これにより、室内用間仕切りに囲われる空間に配置される天井の配置や構成に係る制約を少なくすることができる。例えば、第１部材の高さを天井部材がユーザに圧迫感を与えないために必要とされる高さや、天井の装飾に必要である高さとすることが容易である。また、例えば、第２部材の長さは２つの第１部材を連結できる長さである。
【００１１】
好ましくは、複数の前記天井部材を備え、複数の前記第２部材は、水平、かつ、平行である。
このような構成によれば、天井部材としてその設置が容易である。
【００１２】
好ましくは、前記第１部材と前記第２部材とはそれぞれ、前記支柱の開口端と同様の開口端を有していて、前記開口端に前記角部材の圧接面が圧接される。
このような構成によれば、支柱と同様の開口端を有する部材として第１部材と第２部材とを製造することができる。よって、室内用間仕切りに天井部材を設けることが容易になる。また、第１部材と第２部材と支柱とを共通の材料から製造できるようになる。
【００１３】
好ましくは、前記支柱は、長手方向に直交する断面が多角形状の多角管であり、前記多角管の外側面には、外周方向に突き出る壁状部をそれぞれ有する２つの突出部であって、前記壁状部は長手方向に平行であるとともに、前記壁状部の先端から反対側の前記壁状部に向かって突き出した張出部とを備える前記２つの突出部を有し、前記第１部材は、前記２つの突出部の間に嵌め込み固定された室内間仕切り用金具を介して前記枠体に固定される。
【００１４】
このような構成によれば、枠体に室内間仕切り用金具を介して第1部材を設けることが容易になる。
好ましくは、前記室内間仕切り用金具は、前記２つの突出部の長手方向において任意の位置に嵌め込み固定が可能である。
【００１５】
このような構成によれば、枠体の任意の場所に天井部材を設けることができる。
好ましくは、前記対向配置された前記枠体のうちの２つの前記枠体はそれぞれ、複数の前記枠体が自立可能に連結された連結枠を構成している。
【００１６】
このような構成によれば、自立する連結枠を構成する枠体を天井部材で連結するため、天井部材の設置が容易になる。また、枠体としてもその配置が容易になる。
【発明の効果】
【００１７】
本発明によれば、室内用間仕切りに囲われる空間に配置される天井の配置や構成に係る制約を少なくすることができる。
【図面の簡単な説明】
【００１８】
【図１】室内間仕切り用天井構造、及び室内用間仕切りの一実施形態を示す斜視図。
【図２】同実施形態における支柱の斜視図。
【図３】同実施形態における支柱を直交方向に連結する角部材の斜視図。
【図４】同実施形態における室内間仕切り用天井構造の斜視図。
【図５】同実施形態における支柱に天井構造が取り付けられている斜視図。
【図６】同実施形態における支柱に天井構造が金具を介して取り付けられる斜視図。
【図７】同実施形態における枠体に支柱を取り付ける金具の正面図。
【図８】室内間仕切り用天井構造、及び室内用間仕切りの他の実施形態を示す斜視図。
【図９】室内間仕切り用天井構造、及び室内用間仕切りのその他の実施形態を示す斜視図。
【発明を実施するための形態】
【００１９】
以下、図１〜図７を参照して、室内間仕切り用天井構造及び室内用間仕切りの一実施形態について説明する。
図１に示すように、本実施形態における室内用間仕切り２００は、連結枠１０において相対向する枠体２０の上側が天井部材２１０で連結されている。換言すると、天井部材２１０が室内間仕切り用天井構造を構成する。連結枠１０は、第１の仕切枠１１１と、第２の仕切枠１１２と、第３の仕切枠１１３とが連結部材で連結されることで構成されている。第１の仕切枠１１１と第２の仕切枠１１２とは枠が直交するように連結部材で連結され、第２の仕切枠１１２と第３の仕切枠１１３とは枠が幅方向に横並びになるように連結部材で連結されている。これにより、第２の仕切枠１１２と第３の仕切枠１１３との厚み方向が第１の仕切枠１１１で支持されて、連結枠１０が自立可能になっている。第２の仕切枠１１２及び第３の仕切枠１１３は、同様の枠体２０から構成されている。第１の仕切枠１１１は、第２の仕切枠１１２と幅方向の長さが短いことを除いて枠体２０に同様である枠体２０Ｂから構成されている。よって、本実施形態では、枠体２０について説明し、以下枠体２０Ｂについての説明は割愛する。
【００２０】
枠体２０は、矩形状の枠として構成されており、２組の対辺のうちの一方の対辺が上部支柱２０ａ及び下部支柱２０ｂであり、他方の対辺が左支柱２０ｃ及び右支柱２０ｄである。また、本実施形態では、枠体２０を含んで構成される平面において、枠体２０に囲まれた範囲内となる方向を枠体２０の内周側とし、枠体２０に囲まれた範囲外となる方向を外周側とする。
【００２１】
枠体２０は、床面に対して上部支柱２０ａ及び下部支柱２０ｂが水平に配置され、床面に対して左支柱２０ｃ及び右支柱２０ｄが垂直に配置される。枠体２０は、４つの支柱のうちの直交する２つの支柱のそれぞれが、角部材３０で直交連結されることで矩形状を形成する。本実施形態では、左支柱２０ｃ及び右支柱２０ｄの長手方向が上下方向であり、上部支柱２０ａ及び下部支柱２０ｂの長手方向が左右方向であるものとする。
【００２２】
枠体２０は、第２又は第３の仕切枠１１２，１１３を床面に対して非接触に支持する脚部１４，１５を備える。上部支柱２０ａ及び下部支柱２０ｂは、左右方向の端部にそれぞれ複数の貫通孔２７から構成される付属品取付部２１２を有し、下部支柱２０ｂには付属品取付部２１２の貫通孔２７を利用して各脚部１４，１５が取り付けられている。
【００２３】
枠体２０は、左支柱２０ｃと右支柱２０ｄとの間に２本の横棒２５が上下方向に対して相違する位置に掛け渡されている。左支柱２０ｃ及び右支柱２０ｄは、上下方向に所定の間隔で並ぶ複数の貫通孔２７を有しており、貫通孔２７を利用して横棒２５が取り付けられている。横棒２５は、一端が左支柱２０ｃの貫通孔２７に固定され、他端が右支柱２０ｄの貫通孔２７に固定されている。また、横棒２５は、上部支柱２０ａ及び下部支柱２０ｂに対して水平となるように配置される。
【００２４】
上部支柱２０ａ及び下部支柱２０ｂは、同一の構造を有する短尺支柱２１から構成されている。また、左支柱２０ｃ及び右支柱２０ｄは、同一の構造を有する長尺支柱２３から構成されている。短尺支柱２１及び長尺支柱２３は、アルミニウムを主成分とする金属材料から押出成形された同様の角管から構成される支柱であって、押出成形された連続管を相違する長さで切断し、貫通孔２７を設けた位置が相違する点が異なる。長尺支柱２３は、長手方向に長さＬ２を有しているとともに、短尺支柱２１は、長手方向に長さＬ２よりも短い長さＬ１を有している。
【００２５】
図２を参照して、短尺支柱２１（上部支柱２０ａ及び下部支柱２０ｂ）について説明する。なお、長尺支柱２３は、短尺支柱２１と同様の断面矩形状の角管から構成されていることから、詳細な説明については割愛する。
【００２６】
短尺支柱２１は、断面矩形状の角管から構成されており、平行に相対向する外周側面２１ａと内周側面２１ｂとを備えるとともに、外周側面２１ａ及び内周側面２１ｂに直交しつつ、平行に相対向する２つの横側面２１ｃ，２１ｄを備えている。
【００２７】
外周側面２１ａ及び内周側面２１ｂは、短尺支柱２１の端面において矩形の長辺を構成する。枠体２０において、外周側面２１ａは外周側に配置され、内周側面２１ｂは内周側に配置される。
【００２８】
２つの横側面２１ｃ，２１ｄは、短尺支柱２１の端面において矩形の短辺を構成する。枠体２０において、横側面２１ｃ，２１ｄは内周側又は外周側に対して直交する方向である左右方向に配置される。
【００２９】
なお、本実施形態では、矩形の長辺の長さＷ１は、矩形の短辺の長さＴ１よりも長い。
短尺支柱２１は、外周側面２１ａの短手方向の両端からそれぞれ、外周側面２１ａに対して突き出た突出部としての幅ガイド２１１を有している。幅ガイド２１１は、短尺支柱２１の長手方向に延設されているとともに、外周側面２１ａと直交する方向に所定の高さＴ３で突出する壁状部２１４を有している。壁状部２１４は、外周側面２１ａから離間している先端に、外周側面２１ａの上方に張り出す張出部２１３を備える。張出部２１３は、外周側面２１ａに平行な面を有し、所定の張出長さＷ４を有している。外周側面２１ａの両側にある張出部２１３の間には、幅Ｗ３で所定の間隔が確保されている。矩形の長辺の長さＷ１の長さは、幅Ｗ３と２つの所定の張出長さＷ４とを加えた長さに等しい。また、２つの壁状部２１４の間の間隔は、壁間幅Ｗ２であり、矩形の長辺の長さＷ１＞壁間幅Ｗ２＞幅Ｗ３の関係を有している。
【００３０】
短尺支柱２１の付属品取付部２１２は、２つの貫通孔２７が長手方向に沿って所定の間隔で並んで構成される。
短尺支柱２１は、内部空間に短尺支柱２１の長手方向に延設されるねじ受け部２６を備える。ねじ受け部２６は、横側面２１ｃ，２１ｄの管内側の面に基端が支持され、ねじが螺合される先端が角管内空間に突き出していて所定の位置に配置されている。なお、相対向する２つのねじ受け部２６の間には所定の距離が確保されている。
【００３１】
ここで、ねじ受け部２６について詳述する。
ねじ受け部２６は、横側面２１ｃ，２１ｄの管内側の面から角管内空間に延出される支持脚２６１と、支持脚２６１の先端に取り付けられるめねじ部２６２とを備える。支持脚２６１は、基端が固定される横側面２１ｃ，２１ｄに対して直交する方向に延設される。めねじ部２６２は、円周の一部に切れ込み２６３を有する半円筒形状を有している。切れ込み２６３は、半円筒の内径よりも少し大きな外径のねじ山を有するねじがねじ込まれたとき、そのねじ込まれたねじから受ける拡径圧力によって内周面２６４に雌ねじが形成されるとともに、ねじ込まれたねじに対して適切な縮径力を付与する。よって、めねじ部２６２は、ねじ込まれたねじに対して、ねじ込み方向に締結力を付与させるとともに、その締結力が維持されるようにする。
【００３２】
短尺支柱２１は、開口端２１ｆに設けられる部品の位置決め等に利用可能である２つの貫通孔２７を備えている。２つの貫通孔２７は、短尺支柱２１の開口端２１ｆから近い位置に長手方向に並んで配置されている。なお、貫通孔２７は、短尺支柱２１及び長尺支柱２３において設けられている位置が相違するが、それらの構造は同様である。
【００３３】
貫通孔２７は、内周側面２１ｂに開口する円形の内孔２８と、外周側面２１ａに開口する円形の外孔２９とを備えている。内孔２８の直径Ｄ１は、外孔２９の直径Ｄ２よりも小さい。直径Ｄ１及び直径Ｄ２は、外周側面２１ａ及び内周側面２１ｂに垂直な１つの垂直線を中心とする同心円である。例えば、外孔２９に挿通可能な円柱の頂面にねじ孔が形成された凸部を連結部材５０やカバー部材４０に設け、その凸部を内孔２８に向けて外孔２９に挿通させる。続いて、外孔２９から内孔２８に向けて凸部のねじ孔にねじをねじ込む。ねじは、内孔２８に螺合されることで、その頭部で凸部を固定する。これによって、外周側面２１ａに設けられた連結部材５０（図１参照）やカバー部材４０（図１参照）が凸部へのねじの螺合が生じさせる張力によって外周側面２１ａに固定される。よって、相対向する２つのねじ受け部２６の間の所定の距離は、少なくとも大きな直径Ｄ２よりも長い距離を有している。
【００３４】
図３を参照して、枠体２０の脚部１５（図１参照）の構造について説明する。
枠体２０において、短尺支柱２１と長尺支柱２３とは、角部材３０を介して、短尺支柱２１の長手方向と長尺支柱２３の長手方向とが直交するように接続固定されている。角部材３０は、短尺支柱２１の長手方向と長尺支柱２３の長手方向とが直交する部分を含む位置に配置されており、短尺支柱２１と長尺支柱２３との間に挟まれるように配置されている。本実施形態では、短尺支柱２１と長尺支柱２３とは当接しておらず、短尺支柱２１と長尺支柱２３とは角部材３０を介在させて固定接続される。
【００３５】
短尺支柱２１は、付属品取付部２１２の２つの貫通孔２７を介してカバー部材４０が取り付けられている。カバー部材４０は、第１カバー部４２が外周側面２１ａに固定されるとともに角部材３０の外周側の一部を覆うとともに、第２カバー部４３が角部材３０の外周側の他部を覆う。詳述すると、第１カバー部４２は、外周側面２１ａを短尺支柱２１の長手方向に延設されている部分である。第２カバー部４３は、角部材３０の下部に延設された第１カバー部４２の先端から長尺支柱２３の方向に向かって延出している部分である。また、第１カバー部４２及び第２カバー部４３は、角部材３０に留められたねじの頭が見えなくなるように角部材３０の外周側面を覆う形状を有している。
【００３６】
角部材３０は、短尺支柱２１の開口端２１ｆに当接する圧接面３２ａを有する板材状の第１圧接部３２と、長尺支柱２３の開口端２３ｆに当接する圧接面３４ａを有する板材状の第２圧接部３４とを備えている。角部材３０は、圧接面３２ａと圧接面３４ａとの相対角度が２７０度になるように配置されている。換言すると、圧接面３２ａの反対面と、圧接面３４ａの反対面とは９０度の相対角度で向かい合うように配置されている。また、圧接面３２ａの反対面の側辺と圧接面３４ａの反対面の側辺とを含む平面としての角部材側壁３１が、角部材３０の両側面に設けられている。角部材側壁３１は、短尺支柱２１の横側面２１ｃ，２１ｄ及びや長尺支柱２３の横側面２３ｃ，２３ｄと同じ面に含まれる面を含む板状である。なお、角部材側壁３１は、枠体２０が形成する矩形の外周よりもはみ出さない大きさで角部材３０の両側面に設けられている。具体的には、角部材側壁３１は、角部材３０に、短尺支柱２１の幅ガイド２１１を長さＬ３１だけ延長させ、長尺支柱２３の幅ガイド２３１を長さＬ３２だけ延長させた外観を示す態様で設けられている。なお、上述の第１カバー部４２や第２カバー部４３は、２つの角部材側壁３１の間に配置可能な幅Ｗ４４，幅Ｗ４５を有しており、２つの角部材側壁３１の間に入り込んだかたちで配置される。
【００３７】
角部材３０は、内周側に向く面である内周面３７を有している。内周面３７は、短尺支柱２１の長手方向に第１圧接部３２の厚さに対応するマージンを有する第１のマージン部３７１を有し、長尺支柱２３の長手方向に第２圧接部３４の厚さに対応するマージンを有する第２のマージン部３７３と、第１のマージン部３７１と第２のマージン部３７３とを結ぶ連続部３７２とを有している。内周面３７は、所定の距離を有しているので、短尺支柱２１の開口端２１ｆと長尺支柱２３の開口端２３ｆとの間には少なくとも所定の距離が確保される。よって、短尺支柱２１と長尺支柱２３とは離間された態様で角部材３０を介して連結固定される。また、長さＬ３１は、長尺支柱２３の矩形の短辺の長さＴ１と幅ガイド２３１の所定の高さＴ３とを加えた長さに、角部材３０の第１のマージン部３７１と連続部３７２とにより生じる長さを加えた長さになる。さらに、長さＬ３２は、短尺支柱２１の矩形の短辺の長さＴ１と幅ガイド２３１の所定の高さＴ３とを加えた長さに、角部材３０の第２のマージン部３７３と連続部３７２とにより生じる長さを加えた長さになる。
【００３８】
そして、下部支柱２０ｂに対応する短尺支柱２１の開口端２１ｆに、角部材３０の第１圧接部３２の圧接面３２ａが当接された状態で、第１圧接部３２のねじ孔３３を挿通したボルトＢ２が、ねじ孔３３の先にある短尺支柱２１のねじ受け部２６の内周面２６４に螺合する。これによって、短尺支柱２１に角部材３０が締結固定されている。
【００３９】
右支柱２０ｄを構成する長尺支柱２３の開口端２３ｆに、角部材３０の第２圧接部３４の圧接面３４ａが当接された状態で、第２圧接部３４のねじ孔３５を挿通したボルトＢ３がねじ孔３５の先にある長尺支柱２３のねじ受け部２６の内周面２６４に螺合する。これによって、長尺支柱２３に角部材３０が締結固定されている。なお、第２圧接部３４は厚みが厚いことから、ねじ孔３５は、ボルトＢ３においてねじ溝を有する部分が挿通する挿通孔３５１の手前に、ボルトＢ３の頭部が進入可能な拡径部３５２を有している。
【００４０】
短尺支柱２１と長尺支柱２３とが角部材３０で接続固定されたあと、短尺支柱２１の外周側面２１ａにカバー部材４０が取り付けられる。
カバー部材４０は、第１カバー部４２の側面であって外周側面２１ａに対向する側面に貫通孔２７の外孔２９に挿通可能な円柱状の凸部４４を有する。凸部４４は、外孔２９に挿通する方向の端面にねじ孔が形成されており、短尺支柱２１の内周側面２１ｂの内孔２８を挿通されたボルトＢ１が螺合する。凸部４４の延出長は、角管内に短辺の長さＴ２（図２参照）よりも短い長さである。よって、カバー部材４０の凸部４４を有する面は、凸部４４に加えられる締結力に基づいて対向する外周側面２１ａに当接固定される。
【００４１】
また、カバー部材４０は、幅ガイド２１１の間の幅Ｗ３に入る幅である幅Ｗ４４を有している。幅Ｗ４４は、カバー部材４０が幅ガイド２１１によって位置決めされる幅であり、幅Ｗ３以下であるが、カバー部材４０と幅ガイド２１１との間に大きな隙間ができない程度の幅に設定されている。カバー部材４０は、第１カバー部４２が長さＬ３を有しており、第２カバー部４３が長さＬ４を有している。第１カバー部４２の長さＬ３は、外周側面２１ａの付属品取付部２１２の２つの貫通孔２７を覆うとともに、短尺支柱２１の開口端２１ｆを角部材３０の方向に延び、角部材３０の第２圧接部３４のねじ孔３５を超える位置までの長さである。また、第２カバー部４３の長さＬ４は、第１カバー部４２の角部材３０の先端から第２圧接部３４の圧接面３４ａの反対面に到達する長さである。これによって、角部材３０は、第１圧接部３２の圧接面３２ａの反対面と、第２圧接部３４の圧接面３４ａの反対面とがボルトＢ２，Ｂ３とともにカバー部材４０によって覆われ、外見上のデザイン性が高められるようになっている。また、カバー部材４０は厚さＴ６が幅ガイド２１１の所定の高さＴ３以上の厚さを有している。これにより、カバー部材４０が幅ガイド２１１の張出部２１３の下に入り込んで、第１カバー部４２と幅ガイド２１１との間に不必要に広い隙間が生じるおそれも小さい。
【００４２】
第１カバー部４２は、外周側面２１ａに対向しない側の面に、円柱形状の脚調整部４５を有している。脚調整部４５は、第１カバー部４２から離間した端部にねじ孔４５ｈを備え、そこに脚４１の接地面４１２の反対側に設けられたねじ部４１３がねじ込みにより取り付けられる。脚調整部４５は、接地面４１２との間の距離が脚４１のねじ込み量により変化することから、接地面４１２が床面に好適に当接するように伸縮調整することができる。
【００４３】
脚調整部４５は、第１カバー部４２の短尺支柱２１の開口端２１ｆを角部材３０の方向に過ぎた位置に設けられているが、第１カバー部４２の基端は内周側面２１ｂに支持され、同先端は第２カバー部４３を介して第２圧接部３４の圧接面３４ａの反対面で支持される。よって、第１カバー部４２が床面を押す荷重により変形するおそれが抑制される。
【００４４】
図４〜図６に示すように、枠体２０の外周側面２１ａには、取り付け金具１５０を介して天井部材２１０が取り付けられる。ここでは、２つの取り付け金具１５０が、上部支柱２０ａに取り付けられている場合について説明する。
【００４５】
図４に示すように、天井部材２１０は、２つの枠体２０の上部支柱２０ａのそれぞれから垂直方向に配置された第１部材２０ｅと、２つの枠体２０それぞれの第１部材２０ｅを接続するように水平配置された第２部材２０ｆとを備えている。第１部材２０ｅと第２部材２０ｆとはそれぞれ、上部支柱２０ａ（短尺支柱２１）とは長手方向の長さが相違する一方、上部支柱２０ａと同様の断面矩形状の角管から構成されている。つまり、第１部材２０ｅと第２部材２０ｆとはそれぞれ、上部支柱２０ａと同様の開口端２１ｆを有している。よって、第１部材２０ｅと第２部材２０ｆとの各開口端２１ｆに角部材３０の対応する圧接面が圧接されることで、第１部材２０ｅと第２部材２０ｆとが９０度の角度で連結される。
【００４６】
第１部材２０ｅは、枠体２０を含む平面に沿って上方に設けられている。第１部材２０ｅは、天井部材２１０を設けるにあたって、上部支柱２０ａに加えて必要とされる高さを確保する長さＬ５を有している。長さＬ５は、例えば、天井部材２１０が下にいるユーザに圧迫感を与えないために上部支柱２０ａに加えて必要とされる高さに対応する長さである。第１部材２０ｅは、基端の開口端２１ｆが上部支柱２０ａに固定され、先端の開口端２１ｆが第２部材２０ｆに接続される。
【００４７】
第２部材２０ｆは、枠体２０を含む平面に対して垂直方向に、例えば水平に設けられている。第２部材２０ｆは、相対向する枠体２０それぞれに設けられている２つの第１部材２０ｅを連結できる長さＬ６を有する。第２部材２０ｆは、両端の開口端２１ｆにそれぞれ圧接された各角部材３０のそれぞれが対応する第１部材２０ｅの開口端２１ｆに接続される。
【００４８】
第１部材２０ｅ及び第２部材２０ｆは、枠体２０を構成する上部支柱２０ａとは、長さ（高さ）が相違するのみで、アルミニウムを主成分とする金属材料から押出成形された同様の角管から構成される支柱であることが同様である。すなわち、第１部材２０ｅや第２部材２０ｆは、内部空間に第１部材２０ｅ又は第２部材２０ｆの長手方向に延設されるねじ受け部２６（図３参照）を有し、このねじ受け部２６（図３参照）に角部材３０を固定することができる。
【００４９】
また、天井部材２１０は、第２部材２０ｆの内周側面２１ｂ側にレール２２０が取り付けられている。レール２２０は、第２部材２０ｆに部材を取り付けるときに利用される。例えば、レール２２０には部材として、照明が取り付けられたり、配線が収納されたりする。
【００５０】
図５に示すように、第１部材２０ｅは、基端の開口端２１ｆが長尺部材１６０を介して上部支柱２０ａに固定され、先端の開口端２１ｆが角部材３０を介して第２部材２０ｆに接続される。
【００５１】
第１部材２０ｅは、外周側面２１ａの幅ガイド２１１にカバー２２１を取り付けることができる。カバー２２１は、第１部材２０ｅに沿わせて配置される配線の配置等に利用できる。
【００５２】
図６に示すように、長尺部材１６０は、ボルト１６３で取り付け金具１５０を介して上部支柱２０ａに固定される。本実施形態では、室内間仕切り用金具は、取り付け金具１５０と長尺部材１６０とで構成されている。
【００５３】
長尺部材１６０は、一端側にねじ孔１６１を２つ、他端側にねじ孔１６１を２つ有しているとともに、中央部に第１部材２０ｅが固定されるねじ孔（図示略）を有している。長尺部材１６０は、第１部材２０ｅの開口端２１ｆの相対向する２つのねじ受け部２６にねじ孔（図示略）を対向配置させて、長尺部材１６０側から螺合するねじ（図示略）により、開口端２１ｆに締結される。これにより、長尺部材１６０の表面には、第１部材２０ｅが垂直固定される。
【００５４】
取り付け金具１５０は、上部支柱２０ａの外周側面２１ａにおいて幅ガイド２１１の間に嵌め込まれた状態で外周側面２１ａにボルトＢ１５で固定される。また、上部支柱２０ａの長手方向に所定の間隔を空けて２つの取り付け金具１５０が設けられている。２つの取り付け金具１５０には、外側に向く面に対して長尺部材１６０が掛け渡されるとともに、長尺部材１６０の一端側及び他端側がそれぞれ、ボルト１６３で対応する取り付け金具１５０に固定されている。
【００５５】
詳述すると、長尺部材１６０の一端側及び他端側にはそれぞれ、取り付け金具１５０のねじ孔１５６に対応するねじ孔１６１が設けられている。長尺部材１６０は、一端側のねじ孔１６１が２つのうちの一方の取り付け金具１５０のねじ孔１５６に同心円状に揃えて配置され、揃えて配置された上下のねじ孔１６１，１５６にボルト１６３が螺合されることで取り付け金具１５０に締結固定される。同様に、長尺部材１６０は、他端側のねじ孔１６１が２つのうちの他方の取り付け金具１５０のねじ孔１５６に同心円状に揃えて配置され、揃えて配置された上下のねじ孔１６１，１５６にボルト１６３が螺合されることで取り付け金具１５０に締結固定される。これにより、長尺部材１６０は、２つの取り付け金具１５０を介して第１部材２０ｅを上部支柱２０ａに固定させる。
【００５６】
図７に示すように、取り付け金具１５０は、短尺支柱２１の幅ガイド２１１に対して、嵌め込み、及び、取り外しが容易に構成されている。
取り付け金具１５０は、縦幅を第２幅ＷＡ１とし、横幅を第３幅ＷＢ１とする四角形を基本形として説明すると、直線状の縦辺の長さが第２幅ＷＡ１であり、直線状の横辺の長さが第３幅ＷＢ１である。取り付け金具１５０は、この基本形において横辺の第３幅ＷＢ１の幅方向中央又は中央付近から、回転軸心ＣＡから見て所定の周方向にある第２幅ＷＡ１の方向に四角形の一部が切り欠かれた部分に第１幅ＷＣ１が形成された形状からなる板部１５１である。換言すると、板部１５１は、多角形状の板体、具体的には３組の平行な辺を有する６角形状から構成されており、短尺支柱２１の外周側面２１ａに当接可能な当接面を有している。板部１５１は、当接面の幅が、３組の平行な辺のそれぞれの幅である。
【００５７】
板部１５１は、第１組の辺により幅が規定される第１部分１５５と、第２組の辺により幅が規定される第２部分１５３と、第３組の辺により幅が規定される第３部分１５８とを有する。第１部分１５５は、２つの張出部２１３の間隔である幅ガイド２１１の間の幅Ｗ３を通過可能な第１幅ＷＣ１を有している。第２部分１５３は、２つの張出部２１３の間隔（幅Ｗ３）を通過不可能であって第１幅ＷＣ１よりも広いとともに、２つの壁状部２１４の間（壁間幅Ｗ２）に配置可能な第２幅ＷＡ１を有している。第３部分１５８は、外周側面２１ａと張出部２１３との間の第２の厚さＴＡ２（図示略）よりも厚く、幅ガイド２１１の間の幅Ｗ３に配置不可能な第３幅ＷＢ１を有している。つまり、板部１５１は「第１幅ＷＣ１＜幅Ｗ３＜第２幅ＷＡ１＜壁間幅Ｗ２」の関係を有している。また「幅Ｗ３＜第３幅ＷＢ１」の関係を有している。
【００５８】
取り付け金具１５０は、板部１５１の周方向において、第１部分１５５と第２部分１５３とが隣接配置されている。
板部１５１は、第１部分１５５で２つの張出部２１３の間隔（幅Ｗ３）を通過して当接面を外周側面２１ａに当接することができる。当接後、板部１５１は、回転軸心ＣＡを回転中心として全体が旋回されることで、厚さ方向において、第２部分１５３が張出部２１３と外周側面２１ａとの間に入り込む。そして、板部１５１は、周方向において第２部分１５３の一部、具体的には、第２部分１５３を構成する辺の端部であって、第１部分１５５に隣接しない側の端部が壁状部２１４に当接する。板部１５１は、第２部分１５３の間の距離であって、回転軸心ＣＡを通る距離が、第１部分１５５に隣接する側の端部では壁間幅Ｗ２よりも狭い第２幅ＷＡ１として確保される。一方、第２部分１５３の間の距離であって、回転軸心ＣＡを通る距離は、第１部分１５５から離れるに応じて長くなり、第１部分１５５に隣接しない側の端部では壁間幅Ｗ２よりも広い幅ＷＤ１として確保されるため壁間幅Ｗ２の間を旋回できなくなるためである。
【００５９】
なお、板部１５１は、回転軸心ＣＡに対して一方向について旋回不可能な位置に固定されるようにすることで、幅ガイド２１１の間に取り付けやすくなるとともに、幅ガイド２１１の間における位置決めも容易になる。
【００６０】
第１部分１５５は、張出部２１３と外周側面２１ａとの間の厚さＴ４（図２参照）よりも厚い第１の厚さＴＡ１（図４参照）を有している。第２部分１５３は、第１部分１５５に隣接して、張出部２１３と外周側面２１ａとの間に入り込む部分の厚さが第１の厚さＴＡ１（図４参照）よりも薄い第２の厚さＴＡ２（図示略）に設定されている部分と、第１の厚さＴＡ１を有する部分１５４とを有している。第２部分１５３の第２幅ＷＡ１において、第２部分１５３で第２の厚さＴＡ２（図示略）に設定されている部分は板部１５１の辺に沿う所定の幅ＷＡ３で設けられ、第１の厚さＴＡ１（図４参照）を有する部分１５４は両端が幅ＷＡ３に挟まれた幅ＷＡ２で設けられている。つまり、第２幅ＷＡ１は「幅ＷＡ３＋幅ＷＡ２＋幅ＷＡ３」である。また、幅ＷＡ３は、取り付け金具１５０が旋回されるとき、第１の厚さＴＡ１を有する部分１５４を張出部２１３に接触させない幅であればよい。
【００６１】
図７に示すように、取り付け金具１５０を短尺支柱２１に取り付けるためのねじ孔１５７は、短尺支柱２１の長手方向に直交する直交線Ｃ１５７上に並んで回転軸心ＣＡから等間隔の距離に設けられる。一方、取り付け金具１５０に第１部材２０ｅ等を取り付けるためのねじ孔１５６は短尺支柱２１の長手方向に沿う線Ｃ１５６上に並んで回転軸心ＣＡから等間隔の距離に設けられる。取り付け金具１５０は、短尺支柱２１の長手方向に直交する直交線において回転軸心ＣＡから等間隔の距離に配置されていることから、２つのねじ孔１５７にかかる剛性を均等にすることができて、第１部材２０ｅ等を好適に保持することができる。
【００６２】
取り付け金具１５０は、第３幅ＷＢ１の中央で幅ＷＢ３の第１部分１５５と、幅ＷＢ２の第２部分１５３とに区分されている。よって、板部１５１が回転軸心ＣＡで旋回されるとき、第２部分１５３は、第１部分１５５に隣接している端部で最も狭い幅ＷＡ２を有し、第１部分１５５から離れた端部で最も広い幅ＷＤ１を有する。
【００６３】
（作用）
室内用間仕切り２００は、２つの連結枠１０において相対向する枠体２０の外周側面２１ａに天井部材２１０が取り付けられる。天井部材２１０は、取り付け金具１５０を介して各上部支柱２０ａにそれぞれ対応する第１部材２０ｅの基端が取り付けられ、第２部材２０ｆが２つの第１部材２０ｅ先端のそれぞれに角部材３０を介して接続される。これにより、室内用間仕切り２００は、枠体２０の上部支柱２０ａの高さから長さＬ５だけ高い位置に水平配置された第２部材２０ｆを有する天井部材２１０が設けられるようになる。
【００６４】
本実施形態の室内間仕切り用天井構造、及び室内用間仕切りによれば、以下のような効果を得ることができる。
（１）天井部材２１０に必要とされる高さを確保する２つの第１部材２０ｅと、角部材３０を介してそれら２つの第１部材２０ｅに連結される第２部材２０ｆとで構成される天井部材２１０とによって室内用間仕切り２００に囲われる上方空間を間仕切ることができるようになる。つまり、第１部材２０ｅと第２部材２０ｆとが枠体２０を構成する角部材３０で接続される態様で、天井部材２１０が容易に設けられる。これにより、室内用間仕切り２００に囲われる空間に配置される天井の配置や構成に係る制約を少なくすることができる。例えば、第１部材２０ｅの高さを天井部材２１０がユーザに圧迫感を与えないために必要とされる高さや、天井の装飾に必要である高さとすることが容易である。また、例えば、第２部材２０ｆの長さは２つの第１部材２０ｅを連結できる長さである。
【００６５】
（２）２つの第２部材２０ｆが水平、かつ、平行であることにより、天井部材２１０としてその設置が容易である。
（３）短尺支柱２１や長尺支柱２３と同様の開口端２１ｆを有する部材として第１部材２０ｅと第２部材２０ｆとを製造することができる。よって、室内用間仕切り２００に天井部材２１０を設けることが容易になる。また、第１部材２０ｅと第２部材２０ｆとを、短尺支柱２１や長尺支柱２３と共通の材料から製造できる。
【００６６】
（４）枠体２０に取り付け金具１５０と長尺部材１６０とからなる室内間仕切り用金具を介して第1部材２０ｅを設けることが容易である。
（５）室内間仕切り用金具を介して枠体２０の任意の場所に天井部材２１０を設けることができる。
【００６７】
（６）自立する連結枠１０を構成する枠体２０を天井部材２１０で連結するため、天井部材２１０の設置が容易になる。また、枠体２０としてもその配置が容易になる。
（その他の実施形態）
また、本実施形態は、以下のように変更して実施することができる。本実施形態及び以下の変更例は、技術的に矛盾しない範囲で互いに組み合わせて実施することができる。
【００６８】
・上記実施形態では、横棒２５が取り付けられる場合について例示したが、この横棒にカーテン、スクリーン、パネル、網等を取り付けてもよい。また、横棒に加えて、もしくは、横棒に代えて、パネルやモニタの板材状物を固定するための板状や網状の部材や、カーテンやスクリーンを取り付けるための板状や網状の部材や、棚部材や、机の天板や、棚や天板を支持する部材や、椅子やシート、ベンチと連結するための部材等が取り付けられてもよい。
【００６９】
・上記実施形態では、連結枠１０が自立する場合について例示したが、天井部材による連結で複数の連結枠として自立可能であるならば、連結枠が単独で自立しなくてもよい。
図８を参照して、自立しない連結枠１０と天井部材２１０を備えている室内用間仕切り２０１の一例について説明する。
【００７０】
室内用間仕切り２０１は、横並びに連結した枠体２０からなる連結枠１０を所定の間隔を空けて相対向するように配置させるとともに、相対向する２つの枠体２０の上部が天井部材２１０で連結されている。横並びに連結した枠体２０からなる連結枠１０は、それ自身では自立することができないが、所定の間隔を空けて相対向する２つの枠体２０の上部が天井部材２１０で連結されることで、室内用間仕切り２０１として自立可能になっている。
【００７１】
また、図８に示す枠体２０の側面には、縦桟格子２３０が取り付けられている。縦桟格子２３０は、室内空間を完全には仕切らないが、区切られた空間である感覚をユーザに与えることができる。また、天井部材２１０は、室内用間仕切り２０１の自立を補助することができるとともに、枠体２０だけでは与えることのできない上方空間の区画された感覚をユーザに与えることができる。例えば、天井部材２１０の下方に、テーブルや椅子等を配置することで、２側面及び上面が区画されていることから、落ち着いて打合せや休憩することができる室内空間の提供を可能にする。
【００７２】
・上記実施形態では、対向する連結枠１０がそれぞれ独立しており天井部材２１０によって連結される場合を例示したが、これに限らず、連結枠が相互に連結されていて、その連結されている連結枠における相対向する枠体の間に天井部材が設けられていてもよい。また、天井部材は、さらに他の部材が設けられていてもよい。
【００７３】
図９を参照して、連結枠が相互に連結されていたり、他の部材が設けられている天井部材２１０を備えている室内用間仕切り２０２の一例について説明する。
室内用間仕切り２０２は、横並びに連結した枠体２０からなる３つの連結枠１０を４方のうち３方を囲うように配置させたものである。よって、室内用間仕切り２０２は、２つの連結枠１０を所定の間隔を空けて相対向するように配置させていて、相対向する２つの枠体２０の上部が天井部材２１０で連結されている。３つの連結枠１０は、それぞれが他の連結枠１０と９０度の角度を有していることから、自立可能に構成されている。
【００７４】
また、図９に示す枠体２０の側面には、仕切板ＳＰ１が取り付けられている。仕切板ＳＰ１は、木材、金属、樹脂、布等で板状又はシート状に形成され、枠体２０や横棒２５に固定することで枠体２０に取り付け可能に構成されている。仕切板ＳＰ１は、室内空間を完全には仕切らないが、ユーザに区切られた空間である感覚を与えることができる。
【００７５】
また、天井部材２１０は、室内用間仕切り２０２の自立を補助したり、剛性を高めたりすることができるとともに、枠体２０だけでは与えることのできない上方空間の区画された感覚をユーザに与えることができる。
【００７６】
さらに、室内用間仕切り２０２に所定の間隔を空けて平行に設けられている２つの天井部材２１０の間には、天井桟格子２４０が設けられている。天井桟格子２４０は、枠体２０だけでは与えることのできない上方空間の区画された感覚を、天井部材２１０に加えてユーザに与えることができる。
【００７７】
例えば、天井部材２１０及び天井桟格子２４０の下方に、テーブルや椅子等を配置することで、３側面及び上面が区画されていることから、落ち着いて打合せや休憩することができる室内空間の提供を可能にする。
【００７８】
・カバー部材４０が角部材３０の外周側面を覆わなくてもよい。
・角部材３０は、第１圧接部３２に長尺支柱２３が当接固定され、第２圧接部３４に短尺支柱２１が当接固定されてもよい。
【００７９】
・上記実施形態では、短尺支柱２１、長尺支柱２３、第１部材２０ｅ、及び第２部材２０ｆがアルミニウムを主成分とする金属材料からなる角管から構成されている場合について例示した。しかしこれに限らず、管内にねじ止め部を備えた角管であるのであれば、角管がアルミニウムを主成分としない金属材料からなる角管であってもよい。
【００８０】
・第１の仕切枠１１１が形成する平面と、第２又は第３の仕切枠１１２，１１３が形成する平面とが交わる角度は、９０度未満でもよいし、９０度より大きくてもよい。連結部材は、０度から１８０度までのうちの任意の角度を取ることができる。なお、連結枠１０が安定的に自立することを考慮すると６０度以上、かつ、１２０度以下であることが好ましい。
【００８１】
・上記実施形態では、本実施形態の室内間仕切り用金具が、取り付け金具１５０と長尺部材１６０とから構成される場合について例示したが、これに限らず、枠体に天井部材を取り付けることができるのであれば、室内間仕切り用金具が取り付け金具のみや長尺部材のみから構成されていてもよいし、その他の部材から構成されていてもよい。
【００８２】
・上記実施形態では、室内間仕切り用金具が第１部材２０ｅの固定に用いられる場合について例示したが、これに限らず、室内間仕切り用金具は、枠体や、第１部材及び第２部材の少なくとも一方に取り付けたい部材の取り付けに用いてもよい。例えば、室内間仕切り用金具にフックや仕切板や棚等を取り付けるようにしてもよい。
【００８３】
・上記実施形態では、２つの取り付け金具１５０で長尺部材１６０を支持する場合について例示したが、これに限らず、長尺部材を支持することができれば、取り付け金具は、１つでもよいし、３つ以上でもよい。１つであれば、取り付け金具の使用数を減らすとともに、取り付けにかかる手間を減らすことができる。３つ以上であれば、保持力を高めることができる。
【００８４】
・上記実施形態では、第１部材２０ｅが上部支柱２０ａから垂直上方に延び、枠体２０を含む平面に沿って設けられる場合について例示した。しかしこれに限らず、第１部材は、天井部材に必要な高さを確保することができるのであれば、上部支柱２０ａや枠体２０を含む平面に対して所定の傾きを持って設けられていてもよい。任意のデザインとしたり、任意の設置環境に適合させることができる。
【００８５】
・上記実施形態では、第２部材２０ｆが水平に設けられている場合について例示した。しかしこれに限らず、第２部材が反対側の枠体の第１部材を接続することができるのであれば水平でなくてもよい。
【００８６】
・上記実施形態では、対向する枠体２０の２つの第１部材２０ｅの長さが同じである場合について例示した。しかしこれに限らず、対向する枠体２０の２つの第１部材の長さが相違していてもよい。例えば、対向する枠体２０の高さの違いを吸収するように長さが相違してもよい。
【００８７】
・上記実施形態は、幅ガイド２１１が外周側面２１ａに対して突出するように設けられている場合について例示した。しかしこれに限らず、幅ガイドは、外周側面、内周側面、及び横側面のうちの少なくとも１つの面に設けられていればよい。
【００８８】
・幅ガイド２１１，２３１は必要とされる一部の支柱や部材に設けられてもよい。また、取り付け金具１５０は、幅ガイドを有している支柱や部材に取り付けてよい。
【符号の説明】
【００８９】
１０…連結枠、１４，１５…脚部、２０…枠体、２０ａ…上部支柱、２０ｂ…下部支柱、２０Ｂ…枠体、２０ｃ…左支柱、２０ｄ…右支柱、２０ｅ…第１部材、２０ｆ…第２部材、２１…短尺支柱、２１ａ…外周側面、２１ｂ…内周側面、２１ｃ，２１ｄ…横側面、２１ｆ…開口端、２３…長尺支柱、２３ｃ，２３ｄ…横側面、２３ｆ…開口端、２５…横棒、２６…ねじ受け部、２７…貫通孔、２８…内孔、２９…外孔、３０…角部材、３１…角部材側壁、３２…第１圧接部、３２ａ…圧接面、３３…ねじ孔、３４…第２圧接部、３４ａ…圧接面、３５…ねじ孔、３７…内周面、４０…カバー部材、４１…脚、４２…第１カバー部、４３…第２カバー部、４４…凸部、４５…脚調整部、４５ｈ…ねじ孔、５０…連結部材、１１１…第１の仕切枠、１１２…第２の仕切枠、１１３…第３の仕切枠、１５０…取り付け金具、１５１…板部、１５３…第２部分、１５４…部分、１５５…第１部分、１５６，１５７…ねじ孔、１５８…第３部分、１６０…長尺部材、１６１…ねじ孔、１６３…ボルト、２００，２０１，２０２…室内用間仕切り、２１０…天井部材、２１１…幅ガイド、２１２…付属品取付部、２１３…張出部、２１４…壁状部、２２０…レール、２２１…カバー、２３０…縦桟格子、２３１…幅ガイド、２４０…天井桟格子、２６１…支持脚、２６２…ねじ部、２６３…切れ込み、２６４…内周面、３５１…挿通孔、３５２…拡径部、３７１…第１のマージン部、３７２…連続部、３７３…第２のマージン部、４１２…接地面、４１３…ねじ部、Ｂ１，Ｂ１５，Ｂ２，Ｂ３…ボルト。
【図１】
2020007702.tif 000003
【図２】
2020007702.tif 000004
【図３】
2020007702.tif 000005
【図４】
2020007702.tif 000006
【図５】
2020007702.tif 000007
【図６】
2020007702.tif 000008
【図７】
2020007702.tif 000009
【図８】
2020007702.tif 000010
【図９】
2020007702.tif 000011